(57)【要約】【課題】  機器を薄くすることに蓋体が寄与でき、そのようにしても蓋体が不必要に外れることがない、被蓋される空間の密閉性を維持できるカード型電子機器を提供する。【解決手段】  本発明は、カード状本体に設けられた電池収容凹部にコイン型電池を収容させるカード型電子機器に関する。適用されている蓋体係止構造は、電池収容空間を、蓋体を所定方向にスライドさせて閉成させると共に、その逆方向に蓋体をスライドさせて蓋体を離脱させる構造である。そして、蓋体の閉成状態において、蓋体の少なくとも一部の縁部近傍をカード状本体に係合させる係合部材と、蓋体に設けられた透孔と、蓋体の閉成状態において、透孔に嵌合する嵌合部を有する、電池収容空間を画定する部材に取り付けられたばね部材とを有する。嵌合部は、電池収容空間側への外力により嵌合が解かれて蓋体の逆方向へのスライドを可能とするものである。【選択図】      図５
2011181303.tif 000002
【特許請求の範囲】
【請求項１】
装置本体に設けられた凹部空間を、蓋体を所定方向にスライドさせて閉成させると共に、上記所定方向の逆方向に上記蓋体をスライドさせて上記装置本体から上記蓋体を離脱させる蓋体係止構造において、
上記蓋体の閉成状態において、上記蓋体の少なくとも一部の縁部近傍を上記装置本体に係合させる係合部材と、
上記蓋体に設けられた透孔と、
上記透孔に嵌合する嵌合部と、
上記嵌合部と接続され、上記蓋体の閉成状態において、上記透孔に上記嵌合部を付勢し嵌合させる、上記凹部空間を画定する部材に取り付けられたばね部材とを有し、
上記嵌合部は、上記凹部空間方向の外力が加えられることで上記透孔との嵌合が解かれて上記蓋体の上記逆方向へのスライドを可能とするものである
ことを特徴とする蓋体係止構造。
【請求項２】
装置本体に設けられた、電池を収容する電池収容凹部を、蓋体を所定方向にスライドさせて閉成させると共に、上記所定方向の逆方向に上記蓋体をスライドさせて上記装置本体から上記蓋体を離脱させる電池収容構造において、
上記蓋体の係止構造として、請求項１に記載の蓋体係止構造を適用したことを特徴とする電池収容構造。
【請求項３】
カード状本体に設けられた電池収容凹部にコイン型電池を収容させる電池収容構造を有するカード型電子機器において、
上記電池収容構造として、請求項２に記載の電池収容構造を適用したことを特徴とするカード型電子機器。
【発明の詳細な説明】
【技術分野】
【０００１】
本発明は、蓋体係止構造、電池収容構造及びカード型電子機器に関し、例えば、ボタン電池やコイン型電池、リチウムイオン電池などを交換可能に収容する構造、装置に適用し得るものである。
【背景技術】
【０００２】
カード型電卓、カード型ラジオ、非接触ＩＣカードなど、今日では、多くのカード型電子機器があり、その中にはコイン型電池を電源としているものがある。コイン型電池は１次電池であるため、寿命により、カード型電子機器に装着しているコイン型電池を交換しなければならないことも生じる。コイン型電池を交換可能に収容する構造として、従来、特許文献１や特許文献２に記載のものがある。
【０００３】
特許文献１に記載のものは、ホルダがコイン型電池の周囲を挟み込んで保持し、コイン型電池を保持しているホルダを、カード状本体の縁部に設けられている開口から挿入したり取出したりするものである。
【０００４】
特許文献２に記載のものは、カード状本体の縁部に設けられている開口からコイン型電池を単独で出し入れできるものであって、その開口を回動する蓋体によって被蓋するものである。
【０００５】
特許文献１や特許文献２に記載のものは、カード状本体の縁部に設けられている開口からコイン型電池を着脱するものであった。図１は、カード状本体の裏面からコイン型電池を着脱できるようにした、蓋体がスライドする従来のコイン型電池の収容構造を示している。図１は、蓋体を、カード状本体から離脱している状態で示している。また、図１は、コイン型電池や、コイン型電池と電気的に接続するための金属片の図示を省略している。
【０００６】
図１において、カード状本体１には、２個のコイン型電池を並設して収容できる収容凹部２が形成されており、この収容凹部２は、蓋体３によって被蓋される。
【０００７】
収容凹部２は、カード状本体１の下側（図１では右側）の縁部に設けられている壁部２ａ、左右の縁部に設けられている壁部２ｂ、２ｃとで画定されると共に、収容凹部２における壁部２ａに対向する部分は、裏面板部４の下方空間に連絡するようになされている。
【０００８】
蓋体３は、概ね平板状に成形されているものであり、図１のＡ方向にスライドすることで、収容凹部２を閉成し（覆い）、又は、開放するものである。カード状本体１の左右縁部の壁部２ｂ、２ｃには、蓋体３を支持しながらスライドすることを容易にするための段部５ａ、５ｂが設けられている。
【０００９】
収容凹部２を閉成する際に先頭側となる蓋体３の縁部近傍の内面中央部には、閉成時の進行方向に向かって延びている係止爪６が設けられており、その縁部近傍の内面両端には、閉成時の進行方向に向かって延びている支持用突片７ａ、７ｂが設けられている。収容凹部２における裏面板部４の下方空間側には、係止爪６を案内する一対の案内壁８ａ、８ｂが設けられており、蓋体３の閉成時には、蓋体３の係止爪６は案内壁８ａ、８ｂに案内されながら裏面板部４の下方に押し込まれ、係止爪６の先端に設けられている鍵部６ａが裏面板部４の内面に設けられている図示しない凹部に係合するようになされている。蓋体３の閉成状態では、蓋体３の支持用突片７ａ、７ｂは裏面板部４の内面を外方（図１では上方）に押圧するように機能し、蓋体３の支持をより強固なものとするようになされている。
【００１０】
収容凹部２を閉成する際に後方側となる蓋体３の部分は、蓋体３の閉成状態で、収容凹部２の壁部２ａを外側から覆う側面部９となっており、この側面部９には、閉成時の進行方向に向かって延びている、２つの挿入片１０ａ、１０ｂ（図１では挿入片１０ｂは陰に隠れて見えない）が設けられている。これら挿入片１０ａ、１０ｂは、蓋体３の閉成状態で、収容凹部２の壁部２ａに設けられている図示しない凹部又は孔部に係合するようになされている。
【００１１】
係止爪６の基端が蓋体３の本体に接続している近傍には、その部分に弾性を付与すると共に、スライド時にスライド方向の指との引っかかりを与えるための薄肉凹条１１ａ、１１ｂ、１１ｃが設けられている。蓋体３の閉成状態で、薄肉凹条１１ａ、１１ｂ、１１ｃの部分を押圧することで、係止爪６の先端鍵部６ａと裏面板部４の内面に設けられている図示しない凹部との係合が解かれ、この押圧状態で、蓋体３を開放方向へスライドすることにより、蓋体３をカード状本体１から離脱させることができる。
【先行技術文献】
【特許文献】
【００１２】
【特許文献１】特開平８−６４１８７号公報
【特許文献２】特開２００８−９７９５８号公報
【発明の開示】
【発明が解決しようとする課題】
【００１３】
カード型電子機器はカード型を採用しているので、薄ければ薄いほど、ポケットやカバンなどの収容や携帯が容易になり、好ましいものである。
【００１４】
しかしながら、上述した従来の技術はいずれも、カード型電子機器の厚さを一段と薄くしようとした場合に課題を有するものであった。
【００１５】
特許文献１に記載の電池収容構造は、コイン型電池がホルダに保持されるためホルダは厚くなってしまい、そのホルダが開口に挿入されるカード状本体（言い換えると、カード型電子機器）もホルダを安定的に保持する厚さが必要となって、全体の厚さを薄くしようとしてもその要求にほとんど対応できない構造であった。
【００１６】
特許文献２に記載の電池収容構造は、カード状本体はコイン型電池を受け入れる空間を画定する上下の板部材を必要とした上、コイン型電池を出し入れする縁部開口を覆う蓋体も板部材でなるものである。すなわち、カード型電子機器の厚さを規定する板部材が、上下の板部材に加え、さらにもう１枚必要な構造となっているため、全体の厚さを薄くしようとしても、特許文献２に記載の電池収容構造ではその要求にほとんど対応できない。
【００１７】
図１に記載のスライド式の電池収容構造では、カード型電子機器の厚さは、カード状本体１の表面（図１の下面）側の板部材の厚さと、コイン型電池の厚さと、蓋体３を構成する板部材の厚さとの総和となる。コイン型電池の厚さは一定であるので、全体の厚さを薄くしようとすると、カード状本体１の表面側の板部材の厚さや、蓋体３を構成する板部材の厚さを薄くしなければならない。仮に、蓋体３を構成する板部材の厚さを薄くし、そこから延びる係止爪６の太さをそのままとすると、係止爪６の基端が蓋体３から外れる恐れが高まってしまう。特に、材質が合成樹脂の場合にはこのような恐れが非常に高い。一方、蓋体３を構成する板部材の厚さを薄くし、かつ、そこから延びる係止爪６の太さも細くすると、係止爪６の鍵部６ａが小さくなり、鍵部６ａと、裏面板部４の内面に設けられている図示しない凹部との係合が弱くなり、蓋体３が不必要にカード状本体１から離脱する恐れが高くなる。また、蓋体３を構成する板部材の厚さを薄くすると、そのような薄い板部材に薄肉凹条１１ａ、１１ｂ、１１ｃを適切に設けることが難しくなり、蓋体３の開放操作がし難くなる。薄肉凹条に代え、その部分を貫通孔とすると、指との引っかかりを確保できる反面、携帯時などにおいても、この貫通孔を通して塵埃がカード型電子機器の内部に入り込む恐れが非常に大きくなる。
【００１８】
また、図１に記載のスライド式の電池収容構造では、この構造を備えた筐体（本体）の大きさや蓋体の厚さに関わらず、鍵部６ａと凹部との係合を解除する方向と、蓋体３を本体１から外す方向が同一であるため、蓋体３に対してこの方向の力が加わると蓋体３が本体１から外れてしまう。
【００１９】
さらに、上記方向の力は、蓋体３のどこに加わっても上記作用につながるため、蓋体３の面積が大きければ大きいほど上記問題が発生する可能性が高くなる。
【００２０】
本発明は、以上の点に鑑みなされたものであり、装置を薄くすることに蓋体が寄与でき、蓋体が不必要に外れることがない、被蓋される空間の密閉性を維持できる蓋体係止構造、電池収容構造及びカード型電子機器を提供しようとしたものである。
【課題を解決するための手段】
【００２１】
第１の本発明は、装置本体に設けられた凹部空間を、蓋体を所定方向にスライドさせて閉成させると共に、上記所定方向の逆方向に上記蓋体をスライドさせて上記装置本体から上記蓋体を離脱させる蓋体係止構造において、（１）上記蓋体の閉成状態において、上記蓋体の少なくとも一部の縁部近傍を上記装置本体に係合させる係合部材と、（２）上記蓋体に設けられた透孔と、（３）上記透孔に嵌合する嵌合部と、（４）上記嵌合部と接続され、上記蓋体の閉成状態において、上記透孔に上記嵌合部を付勢し嵌合させる、上記凹部空間を画定する部材に取り付けられたばね部材とを有し、（５）上記嵌合部は、上記凹部空間方向の外力が加えられることで上記透孔との嵌合が解かれて上記蓋体の上記逆方向へのスライドを可能とするものであることを特徴とする。
【００２２】
第２の本発明は、装置本体に設けられた、電池を収容する電池収容凹部を、蓋体を所定方向にスライドさせて閉成させると共に、上記所定方向の逆方向に上記蓋体をスライドさせて上記装置本体から上記蓋体を離脱させる電池収容構造において、上記蓋体の係止構造として、第１の本発明の蓋体係止構造を適用したことを特徴とする。
【００２３】
第３の本発明は、カード状本体に設けられた電池収容凹部にコイン型電池を収容させる電池収容構造を有するカード型電子機器において、上記電池収容構造として、第２の本発明の電池収容構造を適用したことを特徴とする。
【発明の効果】
【００２４】
本発明の蓋体係止構造、電池収容構造及びカード型電子機器によれば、装置を薄くすることに蓋体が寄与でき、蓋体が不必要に外れることがなく、被蓋される空間の密閉性を損なうこともない。
【図面の簡単な説明】
【００２５】
【図１】従来のスライド式の電池収容構造例を示す斜視図である。
【図２】実施形態の電子マネー残高表示装置の表面を示す平面図である。
【図３】実施形態の電子マネー残高表示装置の電気的構成を示すブロック図である。
【図４】実施形態の電子マネー残高表示装置における制御部による処理の流れを示すフローチャートである。
【図５】実施形態の電子マネー残高表示装置における電池収容構造を示す斜視図である。
【発明を実施するための最良の形態】
【００２６】
（Ａ）主たる実施形態
以下、本発明による蓋体係止構造、電池収容構造及びカード型電子機器の一実施形態を、図面を参照しながら説明する。
【００２７】
実施形態のカード型電子機器は、非接触ＩＣカードでなっている各種の電子マネーの残高を読み取って表示する電子マネー残高表示装置である。
【００２８】
図２は、実施形態の電子マネー残高表示装置の表面を示す平面図である。
【００２９】
実施形態の電子マネー残高表示装置２０は、各種の電子マネー（例えば、Ｓｕｉｃａ（登録商標）、Ｅｄｙ（登録商標）等）と同様な矩形状の輪郭を有するカード形をしており、４〜５ｍｍ程度の厚みを有している。電子マネー残高表示装置２０の表面には、当該電子マネー残高表示装置２０に近接された電子マネーの残高を表示する液晶ディスプレイ２１と、電子マネーから残高を得て表示する動作を起動するオン（ＯＮ）スイッチ２２とが設けられている。オンスイッチ２２が操作された以降、短時間（例えば、４〜５秒）の間だけ電子マネー残高表示装置２０は動作を実行し、その後、自動的にオフするようになされている。すなわち、オフスイッチは設けられていない。電子マネー残高表示装置２０の表面のほぼ全面に、１枚のシートが貼付されている。液晶ディスプレイ２１はシートに設けられた窓を介して外部に露出しており、オンスイッチ２２の本体はシートの下方にあり、オン操作は、シート上に記載された文字「ＯＮ」の所をシートごと押圧することで行うようになされている。
【００３０】
図３は、実施形態の電子マネー残高表示装置２０の電気的構成を示すブロック図であり、図２との同一、対応部分には同一符号を付して示している。
【００３１】
電子マネー残高表示装置２０は、上述した液晶ディスプレイ２１及びオンスイッチ２２に加え、電源部２３、電子マネーリーダ部２４及び制御部２５を有する。
【００３２】
電源部２３は、例えば、直列接続された２個のコイン型電池を中心として構成されているものであり、オンスイッチ２２がオン操作されたときに、電子マネーリーダ部２４及び制御部２５に電源を供給し、制御部２５から電源オフが通知されたときに、電子マネーリーダ部２４及び制御部２５への電源供給を終了させるものである。
【００３３】
電子マネーリーダ部２４は、アンテナ２４ａを備え、当該電子マネー残高表示装置２０が対応できる電子マネーが適用している非接触通信方式（例えば、ＦｅｌｉＣａ（登録商標））に応じて、電子マネーに記憶されている情報（残高を含む）を読み取るものである。電子マネーリーダ部２４としては、非接触ＩＣカードの既存のリーダ／ライタを適用することができる。電子マネーリーダ部２４は、得られた電子マネー情報を制御部２５に与えるものである。
【００３４】
制御部２５は、電子マネーリーダ部２４から与えられた電子マネー情報の中から残高を取り出して、液晶ディスプレイ２１に表示させるものである。制御部２５は、ＣＰＵ及びメモリを中心として構成されたり、専用のＩＣチップで構成されたり、既存のＤＳＰに所定プログラムを書き込むことで構成されたりしているものである。制御部２５は、処理に必要なクロックの発生構成を含み、制御部２５内のタイマ部２５ａは、そのクロックをカウントすることにより計時するものである。制御部２５は、所定時間だけ表示が実行されたときには、電源オフを電源部２３に通知するものである。
【００３５】
図４は、制御部２５による処理の流れを示すフローチャートである。
【００３６】
利用者は、残高を知りたい電子マネーを、当該電子マネー残高表示装置２０の裏面側に接するように重ね、この状態で、オンスイッチ２２をオン操作する。これにより、制御部２５に電源部２３から電源が供給されるようになり、制御部２５は図４に示す処理を開始する。
【００３７】
制御部２５は、電子マネーリーダ部２４によって電子マネーと所定時間（例えば０．５秒）だけ通信させた後（ステップＳ１）、通信が成功したか否かを判別する（ステップＳ２）。通信が成功した場合には、制御部２５は、電子マネー情報が得られた電子マネーは当該電子マネー残高表示装置２０が処理対象としている電子マネー（処理対象は例えば２０種類用意されている）か否かを電子マネー情報内のマネーの識別情報に基づいて判別する（ステップＳ３）。処理対象としている電子マネーであると、制御部２５は、得られた電子マネー情報の中から残高（の情報）を抽出して液晶ディスプレイ２１に表示させ（ステップＳ４）、その表示時間が所定時間（例えば４秒）となったときに電源部２３に電源オフを通知して（ステップＳ５）、図４に示す一連の動作を終了する。一方、電子マネーとの通信が失敗した場合や、電子マネーとの通信は成功したが処理対象としている電子マネーでない場合には、制御部２５は、エラーを液晶ディスプレイ２１に表示させ（ステップＳ６）、その表示時間が所定時間（例えば４秒）となったときに電源部２３に電源オフを通知して（ステップＳ５）、図４に示す一連の動作を終了する。
【００３８】
以上のようにして、利用者はオンスイッチ２２をオン操作するだけで容易に電子マネーの残高を知得することができる。この際、オフ操作が不要であって利便性が高くなっている。また、通信に失敗したときに、所定回数を上限として通信に成功するまで再通信を繰り返すことも考えられるが、失敗したときに直ちにエラー表示して終了するようにしたので、無駄な電力を抑えることができる。因みに、電子マネーの動作電源（動作用エネルギー）を、当該電子マネー残高表示装置２０から通信時に供給するため、通信時の消費電力は通信以外での消費電力より大きいものとなっている。
【００３９】
実施形態の電子マネー残高表示装置２０は、利用者が電子マネーと共に携帯するものであるので、電子マネーまではいかずとも薄ければ薄いほど好ましいものである。また、電子マネーと通信を行うため、カード形の箱体には金属を適用できず合成樹脂を適用している。
【００４０】
図５は、実施形態の電子マネー残高表示装置２０における電池収容構造（実施形態の電池収容構造）を示す斜視図である。この電池収容構造には実施形態の蓋体係止構造が適用されている。図５は、蓋体を、カード状本体から離脱している状態で示している。また、図５は、コイン型電池や、コイン型電池と電気的に接続するための金属片の図示を省略している。
【００４１】
図５において、カード状本体３１には、２個のコイン型電池を並設して収容できる収容凹部３２が形成されており、この収容凹部３２は、蓋体３３によって被蓋される。
【００４２】
収容凹部３２は、カード状本体３１の下側（図５では右側）の縁部に設けられている壁部３２ａ、左右の縁部に設けられている壁部３２ｂ、３２ｃとで画定されると共に、収容凹部３２における壁部３２ａに対向する部分は、裏面板部３４の下方空間に連絡するようになされている。
【００４３】
蓋体３３は、概ね平板状に成形されているものであり、図５のＢ方向にスライドすることで、収容凹部３２を閉成し（覆い）、又は、開放するものである。カード状本体３１の左右縁部の壁部３２ｂ、３２ｃには、蓋体３３を支持しながらスライドすることを容易にするための段部３５ａ、３５ｂが設けられている。
【００４４】
収容凹部３２を閉成する際に先頭側となる蓋体３３の縁部近傍の内面中央部には、閉成時の進行方向に向かって延びている中央支持用突片３６が設けられており、その縁部近傍の内面両端には、閉成時の進行方向に向かって延びている支持用突片３７ａ、３７ｂが設けられている。収容凹部３２における裏面板は部３４の下方空間側には、中央支持用突片３６を案内する一対の案内壁３８ａ、３８ｂが設けられており、蓋体３３の閉成時には、蓋体３３の中央支持用突片３６は案内壁３８ａ、３８ｂに案内されながら裏面板部３４の下方に押し込まれる。蓋体３３の閉成時の進行方向の縁部と、裏面板部３４の収容凹部３２側の縁部とが接するまで、蓋体３３が押し込まれるようになされており、蓋体３の閉成状態で、中央支持用突片３６は左右方向の位置を規制すると共に、裏面板部３４の内面を外方に押圧するように機能し、蓋体３３の支持をより強固なものとするようになされている。また、蓋体３３の閉成状態では、蓋体３３の両端の支持用突片３７ａ、３７ｂも、裏面板部３４の内面を外方に押圧するように機能し、蓋体３３の支持をより強固なものとするようになされている。
【００４５】
この実施形態の場合、中央支持用突片３６は鍵などを備えない棒状をしており、係止爪のような機能は担当していない。
【００４６】
収容凹部３２を閉成する際に後方側となる蓋体３３の部分は、蓋体３３の閉成状態で、収容凹部３２の壁部３２ａを外側から覆う側面部３９となっており、この側面部３９には、閉成時の進行方向に向かって延びている、３つの挿入片４０ａ、４０ｂ（図５では挿入片４０ｂは陰に隠れて見えない）、４０ｃ（図５では挿入片４０ｃは陰に隠れて見えない）が設けられている。これら挿入片４０ａ〜４０ｃは、蓋体３３の閉成状態で、収容凹部３２の壁部３２ａに設けられている図示しない凹部又は孔部に係合するようになされている。
【００４７】
閉成時の進行方向からみて、蓋体３３の上面の後側寄りであって、左右方向には中心の位置に透孔（浅い貫通孔）４１が設けられている。一方、収容凹部３２には、その底面に一端が固定されている片持ち梁状のばね部材４２が設けられており、その先端は上述の透孔４１に嵌合する嵌合部４２ａとなっている。嵌合部４２ａの外周は透孔４１の内周とほぼ同様であり、嵌合時において、塵埃が進入できる隙間はないに等しい。ばね部材４２の固定基端と嵌合部４２ａとを結ぶ、蓋体３３の移動方向に延びている連結部分４２ｂは、収容される２つのコイン型電池の左右方向の位置を規制する機能を果たしている。なお、収容凹部３２の壁部３２ａの内面側に設けられている円筒状切欠部も、コイン型電池の位置規制機能を果たしている。ばね部材４２は、カード状本体３１と一体で成形されたものであり、射出成形の容易さや金型抜けのために、ばね部材４２の下方には孔４３ができてしまうが、上述したように、電子マネー残高表示装置２０の表面は１枚シートで覆われるため、この孔４３も１枚シートで覆われ、塵埃の進入箇所となることはない。
【００４８】
以上の構成の電池収容構造（蓋体係止構造）において、蓋体３３が取り外されて開放されている状態から、蓋体３３を閉成させる際には、蓋体３３の左右の縁部を、カード状本体３１の左右縁部の壁部３２ｂ、３２ｃに設けられている段部３５ａ、３５ｂに合わせて載せ、その状態で、下方へ押圧させながら閉成方向にスライドさせていく。このようなスライド状態では、ばね部材４２の嵌合部４２ａは蓋体３３の内面によって下方に押されている。
【００４９】
蓋体３３のスライドにより、その進行方向の縁部と、裏面板部３４の収容凹部３２側の縁部とが接し、蓋体３３の進行は終了する。蓋体３３の中央支持用突片３６は終了直前から案内壁３８ａ、３８ｂによって案内され、左右方向の位置を規制する。また、進行が終了したときには、裏面板部３４の内面側に入り込んで、ばね部材４２の外方への弾発力を受けて裏面板部３４の内面を外方に押圧し、蓋体３３の支持をより強固にする。また、蓋体３３の進行が終了した状態では、蓋体３３の両端の支持用突片３７ａ、３７ｂも、ばね部材４２の外方への弾発力を受けて、裏面板部３４の内面を外方に押圧し、蓋体３３の支持をより強固にする。
【００５０】
また、蓋体３３の進行が終了したとき、蓋体３３の挿入片４０ａ〜４０ｃは、蓋体３３の閉成状態で、収容凹部３２の壁部３２ａに設けられている図示しない凹部又は孔部に係合する。挿入片４０ａ〜４０ｃも、ばね部材４２の外方への弾発力を受けて、図示しない凹部又は孔部との係合をより強固にする。
【００５１】
さらに、蓋体３３の進行が終了したとき、ばね部材４２の先端の嵌合部４２ａは、蓋体３３の透孔４１と嵌合する。この嵌合によっても、蓋体３３の前後左右の位置を規制する。また、嵌合状態においても、ばね部材４２は蓋体３３を外方に押すような弾発力を発揮し、上述したような各所での支持を確実なものとする。
【００５２】
一方、閉成状態の蓋体３３を取り外して開放する際には、蓋体３３の透孔４１と嵌合しているばね部材４２の先端嵌合部４２ａを、指の先端で内方に押圧して嵌合を解除し、透孔４１にかかっている指の先端をそのまま開放方向に移動させて蓋体３３を外れる方向にスライドさせれば良い。
【００５３】
上記実施形態によれば、以下の効果を奏することができる。
【００５４】
鍵部を有する係止爪を利用した蓋体の場合には、不必要な開放を考慮して、蓋体の厚みを薄くし難い。一方、実施形態の蓋体３３は、鍵部を有する係止爪を利用していないので、蓋体３３の厚みを薄くすることができ、電子マネー残高表示装置２０を薄くすることに蓋体３３が寄与することができる。言い換えると、薄い電子マネー残高表示装置２０を実現することができる。
【００５５】
上述のように蓋体３３を薄くしても、その閉成状態（支持状態）で、カード状本体３１に設けられたばね部材３３が、蓋体３３の強固な支持に必要な力（弾発力）を与えるようにしたので、蓋体３３が不必要に外れるようなことを防止することができる。因みに、図１に示した従来技術では、蓋体に設けられた係止爪が蓋体の支持に必要な力を与えるようにしていたので、蓋体を薄くした場合に、その力が不十分になって蓋体が不必要に外れる恐れがあった。さらに、仮に、蓋体を薄くしない場合であっても、係止爪による係止では利用者が解放を意図した力を加えなくても蓋体が不必要に外れる恐れがあるが、透孔４１と嵌合部４２ａとの嵌合では、利用者が解放を意図した大きな力を加えない限り、嵌合状態が解かれることはなく、蓋体が不必要に外れる恐れは皆無に近い。
【００５６】
また、上記実施形態の場合、蓋体３３は透孔４１を有するが、閉成状態ではこの透孔４１にばね部材４２の先端嵌合部４２ａが嵌合しているため、収容凹部３２の密封性をほぼ確保でき、塵埃が進入することを防止することができる。
【００５７】
ここで、透孔４１の位置は、開放時に進行側となる縁部に近いため、蓋体３３を開放するための押圧、それに続くスライド操作がし易いものとなっている。
【００５８】
（Ｂ）他の実施形態
本発明は、上記実施形態に限定されるものではなく、以下に例示するような変形実施形態も本発明の技術的範囲に属する。
【００５９】
上記実施形態では、カード型電子機器が電子マネー残高表示装置であるものを示したが、本発明はこれに限定されるものではない。例えば、電子マネーからの情報を処理する装置であっても、残高以外の情報をも、スクロールなどの方法によって表示できるものであっても良い。また、カード型電卓、カード型ラジオ、カード型歩数計などに、本発明を適用することができる。
【００６０】
本発明による蓋体係止構造や電池収容構造は、カード型電子機器以外の装置に適用できることは勿論である。
【００６１】
本発明による蓋体係止構造は、電池収容凹部以外の空間を被蓋する構造としても適用可能なものである。例えば、メモリカードを収容する空間を被蓋する蓋体の係止構造として、本発明による蓋体係止構造を適用可能である。
【００６２】
上記実施形態においては、２個のコイン型電池を収容する収容凹部を被蓋する場合を示したが、収容するコイン型電池の数は１個でも３個以上であっても良い。
【００６３】
上記実施形態においては、蓋体とカード状本体との係合箇所が、閉成時の進行方向の先頭側で３箇所、閉成時の進行方向の後行側で３箇所の計６箇所（透孔と嵌合部との嵌合を除く）のものを示したが、係合箇所の個数は先頭側及び後行側共にこれに限定されるものではない。例えば、凸片ではなく、蓋体の左右方向に延びる１つの凸条を利用して係合させるものであっても良い。
【００６４】
上記実施形態においては、透孔４１とばね部材４２とが一対のものを示したが、複数対を有するものであっても良い。ばね部材４２も、カード状本体３１と一体成形されていないものであっても良く、また、片持ち梁状のものでなくても良い。例えば、つる巻きばねの先端に嵌合部を有するものであっても良い。ばね部材４２の基端が接続されている部材は、収容凹部３２の底面部材に限定されず、収容凹部３２の側面部材などであっても良い。
【符号の説明】
【００６５】
２０…電子マネー残高表示装置、３１…カード状本体、３２…収容凹部、３３…蓋体、３４…裏面板部、３６…中央支持用突片、３７ａ、３７ｂ…支持用突片、３８ａ、３８ｂ…案内壁、４０ａ、４０ｂ、４０ｃ…挿入片、４１…透孔、４２…ばね部材、４２ａ…ばね部材の嵌合部。
【図１】
2011181303.tif 000003
【図２】
2011181303.tif 000004
【図３】
2011181303.tif 000005
【図４】
2011181303.tif 000006
【図５】
2011181303.tif 000007